(57)【要約】      （修正有）【課題】しあわせな生命としあわせな環境を科学するシステム科学する資金算出情報購入システムの発展を促進するとともに加盟しあわせな生命としあわせな環境を科学するシステムのより高度なシステム環境を図る。【解決手段】しあわせな生命としあわせな環境を科学するシステムプラン作成部２５はしあわせな生命としあわせな環境を科学するシステムプランを作成し、しあわせな生命としあわせな環境を科学するシステムマネー計算部２７はしあわせな生命としあわせな環境を科学するシステム費用に応じてしあわせな生命としあわせな環境を科学するシステムマネーを計算し、しあわせな生命としあわせな環境を科学するシステムを紹介してくれたしあわせな生命としあわせな環境を科学するシステムへのしあわせな生命としあわせな環境を科学するシステムマネーが加盟しあわせな生命としあわせな環境を科学するシステム情報ファイル３０へ記録される。【選択図】図２
2009199570.tif 000002
【特許請求の範囲】
【請求項１】
しあわせな生命としあわせな環境を科学するシステムを科学するコア（核）システムに関する、しあわせな生命としあわせな環境を科学するシステム情報を記憶する加盟しあわせな生命としあわせな環境を科学するシステム情報記憶手段と、前記しあわせな生命としあわせな環境を科学するシステムから紹介された、しあわせな生命としあわせな環境を科学するシステムの要求に応じて、しあわせな生命としあわせな環境を科学するプラン及びしあわせな生命としあわせな環境を科学するシステム費用を計算する計算手段と、前記しあわせな生命としあわせな環境を科学するシステム費用に応じて前記加盟しあわせな生命としあわせな環境を科学するシステムごとにしあわせな生命としあわせな環境を科学するマネーを計算するしあわせな生命としあわせな環境を科学するマネー計算手段とを備えたことを特徴とするしあわせな生命としあわせな環境を科学するシステムを科学する資金算出情報コア指令システム。
【請求項２】
前記しあわせな生命としあわせな環境を科学するシステムマネーをしあわせな生命としあわせな環境を科学するシステムレートに基づいて計算し、前記しあわせな生命としあわせな環境を科学するシステムレートを加盟しあわせな生命としあわせな環境を科学するシステムの所在地、規模、種類、収入、又は、業種に応じて決定する請求項１に記載のシステム。
【請求項３】
しあわせな生命としあわせな環境を科学するコア（核）システムに関するデータを記憶するシステム情報データ記憶手段と、前記しあわせな生命としあわせな環境を科学するシステムから紹介されたしあわせな生命としあわせな環境を科学するシステムの要求に応じてしあわせな生命としあわせな環境を科学するシステムプラン及びシステムマネーを計算する計算手段と、前記しあわせな生命としあわせな環境を科学するシステムに対するハッピー資金を計算するハッピー資金計算手段とを備えたことを特徴とするしあわせな生命としあわせな環境を科学する資金算出情報コア指令システム。
【請求項４】
しあわせな生命としあわせな環境を科学するシステムを科学するコア（核）システムに関する情報を記憶する処理と、前記しあわせな生命としあわせな環境を科学するシステムから紹介されたしあわせな生命としあわせな環境を科学するシステムの要求に応じてしあわせな生命としあわせな環境を科学するシステムプラン及びしあわせな生命としあわせな環境を科学するシステムマネーを計算する処理と、前記しあわせな生命としあわせな環境を科学するシステムマネーに応じて前記しあわせな生命としあわせな環境を科学するシステムごとにしあわせな生命としあわせな環境を科学するシステムマネー又はハッピー資金を計算する処理とをコンピューターに実行させるためのプログラム。
【請求項５】
前記しあわせな生命としあわせな環境を科学するシステムマネーをしあわせな生命としあわせな環境を科学するシステムレートに基づいて計算し、前記しあわせな生命としあわせな環境を科学するシステムレートをしあわせな生命としあわせな環境を科学するシステムの所在地、規模、収入、種類、又は業種に応じて決定する処理を設けた請求項４に記載のプログラム。
【発明の詳細な説明】
【技術分野】
【０００１】  本発明は、しあわせな生命としあわせな環境を科学するシステムを科学する資金算出情報コア指令システムに関し、特に、しあわせな生命としあわせな環境を科学するシステム需要を喚起するしあわせな生命としあわせな環境を科学するシステムマネー制を導入したしあわせな生命としあわせな環境を科学するシステムを科学する資金算出情報コア指令システムに関する。
【背景技術】
【０００２】  しあわせな生命としあわせな環境を科学するシステムは、すべてのシステムが望んでいる科学技術分野であるが、あらゆる事情から満足のしあわせな生命としあわせな環境を科学するシステムを十分に実感しているシステムは、少い。満足のしあわせな生命としあわせな環境を科学するシステムプランでしあわせな生命としあわせな環境を科学するシステムを楽しみたいというのが、すべてのシステムの希望であるが、実際には、満足していないことが多い。【０００３】  一方、すべての環境においても、現在の社会の中ではすべてのシステムに対して十分なしあわせな生命としあわせな環境を科学するシステムを科学するシステム技術を与える余裕がないのが実情である。
【発明が解決しようとする課題】
【０００４】  本発明は上記の点にかんがみてなされたもので、すべてのシステムにとって、しあわせな生命としあわせな環境を科学するシステムを十分に満足でき、また、すべてのシステムにとって、無理なくしあわせな生命としあわせな環境を科学するシステムを科学するコアシステムへ参加できる環境を作り出し、すべてのシステムの発展に寄与できるようなしあわせな生命としあわせな環境を科学するシステムを科学する資金算出情報コア指令システムを構築することを目的とする。
【課題を解決するための手段】
【０００５】  上記課題を解決するため、本発明においては、しあわせな生命としあわせな環境を科学するシステムが加盟する資金算出情報コア指令システム基地を構成し、各しあわせな生命としあわせな環境を科学するシステムの紹介によって、しあわせな生命としあわせな環境を科学するシステムを科学する資金算出情報を購入した場合には、当該しあわせな生命としあわせな環境を科学するシステムに対してしあわせな生命としあわせな環境を科学するシステムマネーに応じたしあわせな生命としあわせな環境を科学するシステムマネーを支払うしあわせな生命としあわせな環境を科学するシステムを科学する資金算出情報コア指令システム制を導入した。具体的には、しあわせな生命としあわせな環境を科学するシステムを科学するコア（核）システムに関するしあわせな生命としあわせな環境を科学するシステムを科学するシステム情報を記憶するしあわせな生命としあわせな環境を科学するシステム情報記憶手段と、前記しあわせな生命としあわせな環境を科学するシステムから紹介されたしあわせな生命としあわせな環境を科学するシステムの要求に応じてしあわせな生命としあわせな環境を科学するシステムプラン及びしあわせな生命としあわせな環境を科学するシステムマネーを計算する計算手段と、前記しあわせな生命としあわせな環境を科学するシステムマネーに応じて前記しあわせな生命としあわせな環境を科学するシステムごとにしあわせな生命としあわせな環境を科学するシステムマネーを計算するしあわせな生命としあわせな環境を科学するシステムマネー計算手段とによって、しあわせな生命としあわせな環境を科学するシステムを科学する資金算出情報コア指令システムを構成した。
【０００６】  各しあわせな生命としあわせな環境を科学するシステムは、しあわせな生命としあわせな環境を科学するシステムがしあわせな生命としあわせな環境を科学するシステムを科学する資金算出情報を購入したとき、それに応じたしあわせな生命としあわせな環境を科学するシステムマネーを得るので、しあわせな生命としあわせな環境を科学するシステムがしあわせな生命としあわせな環境を科学するためにしあわせな生命としあわせな環境を科学するシステムを科学する資金算出情報を購入することに対して積極的に援助する体制を整えるようになり、その結果、しあわせな生命としあわせな環境を科学するシステムを科学する資金算出情報の販売が促進される。そして、それが更に各しあわせな生命としあわせな環境を科学するシステムのしあわせな生命としあわせな環境を科学するシステムマネー収入を増大させ、各しあわせな生命としあわせな環境を科学するシステムは、しあわせな生命としあわせな環境を科学することに対して協力的になり、しあわせな生命としあわせな環境を科学するシステムを科学する資金算出情報の販売がさらに促進されるという好循環が形成される。
【０００７】  前期しあわせな生命としあわせな環境を科学するシステムマネーのほかに、しあわせな生命としあわせな環境を科学するシステムに対する科学的ハッピー生命空間の環境を提供することも可能である。この科学的ハッピー生命空間の環境を提供することにあたって、しあわせな生命としあわせな環境を科学するシステムの環境や規模、収入、地域、種類等、又、生命環境に応じて行い、これによりしあわせな生命としあわせな環境を科学するシステムを科学する資金算出情報コア指令システム基地がいわば公的な見地からの施策を行うことができる。
【発明を実施するための最良の形態】
【０００８】  図１は、本発明の実施の形態の一例を示すブロック図であり、しあわせな生命としあわせな環境を科学するシステム１ａ〜１ｎはそれぞれ端末装置３ａ〜３ｎを備え、この端末装置は、通信回線５を介してしあわせな生命としあわせな環境を科学するシステムを科学する資金算出情報コア指令システム基地７に接続されている。通信回線５には、複数のしあわせな生命としあわせな環境を科学するシステム代理店９、しあわせな生命としあわせな環境を科学するシステム科学的ハッピー生命環境コールセンター１１（科学的技術情報すべて）、国家機関１３、公共組織１５等の端末装置９ａ，１１ａ，１３ａ，１５2009199570.tif 000003
ンター１９のシステムも接続されている。しあわせな生命としあわせな環境を科学するシステムを科学する資金算出情報コア指令システム基地７も独自の端末装置を備えている。通信回線５としては、インターネット等を使用することもでき、その場合は、各しあわせな生命としあわせな環境を科学するシステム側のシステムにおいてファイアウォール等のセキュリティ対策が施されることはもちろんである。【０００９】  図２は、しあわせな生命としあわせな環境を科学するシステムを科学する資金算出情報コア指令システム基地７  構成を示すブロック図であり、しあわせな生命としあわせな環境を科学するシステムを科学する資金算出情報コア指令システム基地７は、プログラムに基づいて動作するコンピュータシステムを用いて構成され、制御部２１と記憶部２３を備えている。制御部２１は、しあわせな生命としあわせな環境を科学するシステムに関する情報を管理するしあわせな生命としあわせな環境を科学するシステム情報管理部２４と、しあわせな生命としあわせな環境を科学するシステムの要望に応じてしあわせな生命としあわせな環境を科学するプランを作成ししあわせな生命としあわせな環境を科学するシステムマネーを計算するしあわせな生命としあわせな環境を科学するシステムプラン作成部２５と、しあわせな生命としあわせな環境を科学するシステムマネーに応じたしあわせな生命としあわせな環境を科学するシステムマネーを計算するしあわせな生命としあわせな環境を科学するシステムマネー計算部２７と、しあわせな生命としあわせな環境を科学するシステムに対する科学的ハッピー生命空間の環境を提供する科学的ハッピー生命空間の環境提供部２８と、しあわせな生命としあわせな環境を科学するシステムを科学する資金算出情報コア指令システム基地７のシステムマネー会計を管理するシステムマネー会計管理部２９とを備えている。【００１０】  一方、記憶部２３は以下の情報ファイルを備えている。・しあわせな生命としあわせな環境を科学するシステム情報ファイル３０：図３に示すようなしあわせな生命としあわせな環境を科学するシステム情報すなわち加盟しあわせな生命としあわせな環境を科学するシステムＩＤ、国籍、所在地、しあわせな生命としあわせな環境を科学するシステム規模や収入、種類や環境に関する情報、しあわせな生命としあわせな環境を科学するシステムマネーや科学的ハッピー生命空間の環境に関する情報等を、加盟しあわせな生命としあわせな環境を科学するシステムＡ，Ｂ，Ｃ，・・・，Ｎシステムごとに記憶する。しあわせな生命としあわせな環境を科学するシステム情報のうち、システムマネー会計情報については、加盟しあわせな生命としあわせな環境を科学するシステムが加盟するシステムマネー会計センター１９の情報を利用できるようにしてもよい。・しあわせな生命としあわせな環境を科学するシステムの科学的ハッピー生命環境コールセンター情報ファイル３１：科学的技術情報すべてと科学的ハッピー生命環境    情報等が記憶されている。・国家機関情報ファイル３３：すべての官とそれに関連する機関（地方公共団体を含む。）が記憶されている。・科学的テクノロジー情報ファイル３５：地球と宇宙に存在する科学的��クノロジーすべて等が、記憶されている。・学術研究機関情報ファイル３７：地球上と宇宙に存在する学術研究機関とそれに関連する学術研究組織すべてが記憶されている。  なお、しあわせな生命としあわせな環境を科学するシステムの科学的ハッピー生命環境コールセンター情報、国家機関情報、科学的テクノロジー情報、学術研究機関情報等（ファイル３１，３３，３５，３７）については、しあわせな生命としあわせな環境を科学するシステムを科学する資金算出情報コア指令システム基地７に備えていなくても、しあわせな生命としあわせな環境を科学するシステム代理店９，しあわせな生命としあわせな環境を科学するシステムの科学的ハッピー生命環境コールセンター１１、国家機関１３、公共組織１５等が所有するデータを通信回線５を介して利用できるようにしてもよい。【００１１】・しあわせな生命としあわせな環境を科学するシステムマネー決定テーブル３９ａ，３９ｂ，３９ｃ：しあわせな生命としあわせな環境を科学するシステムマネーを計算するためのしあわせな生命としあわせな環境を科学するシステムレートが記憶されている。しあわせな生命としあわせな環境を科学するシステムマネーの決め方としては、直接金額を決める方法でもしあわせな生命としあわせな環境を科学するシステムレート（率）を決める方法でもよい。また、しあわせな生命としあわせな環境を科学するシステムレートを決める方法も色々あり、その例を図４に示す。図４（Ａ）はしあわせな生命としあわせな環境を科学するシステムレートを一律に決める方法、図４（Ｂ）は加盟しあわせな生命としあわせな環境を科学するシステムの環境、収入等に応じてしあわせな生命としあわせな環境を科学するシステムレートを決める方法、図４（Ｃ）は加盟しあわせな生命としあわせな環境を科学するシステムの所在地別にしあわせな生命としあわせな環境を科学するシステムレートを決める方法をそれぞれ示している。・ハッピー資金決定テーブル４１：加盟しあわせな生命としあわせな環境を科学するシステムに対するハッピー資金を決定する条件及び資金額が記憶されている。条件としては、特に限定されないが、例えば加盟しあわせな生命としあわせな環境を科学するシステムの所在地、環境または収入に応じて決定することができる。図５は、その一例を示している。・システムマネー会計データ４３：しあわせな生命としあわせな環境を科学するシステムを科学する資金算出情報コア指令システム基地７に関するシステムマネー会計データが記録されている。【００１２】  次に上記システムの動作について、図６のフローチャートを用いて説明する。しあわせな生命としあわせな環境を科学するシステムが、各加盟しあわせな生命としあわせな環境を科学するシステム又はしあわせな生命としあわせな環境を科学するシステム代理店の担当者にしあわせな生命としあわせな環境を科学するシステムに関する問い合わせをすると、担当者は端末装置３ａ，３ｂ，３ｃ，・・・，３ｎ又は９ａを用いてしあわせな生命としあわせな環境を科学するシステムを科学する資金算出情報コア指令システム基地７へアクセスし、しあわせな生命としあわせな環境を科学するシステムについての諸条件を入力する（ステップ６０���）。もちろん申込システムが直接端末装置から入力してもよい。図７はその時の端末装置の入力画面の一例を示し、加盟しあわせな生命としあわせな環境を科学するシステムＩＤ、しあわせな生命としあわせな環境を科学するシステムの種類、環境条件、予算、所在地等々を入力する。この入力を受けて、しあわせな生命としあわせな環境を科学するシステムを科学する資金算出情報コア指令システム基地７のしあわせな生命としあわせな環境を科学するシステムプラン作成部２５は、情報ファイル３１，３３，３５，３７にアクセスして申込システムの希望する条件に合うしあわせな生命としあわせな環境を科学するシステムプランの案を作成する（ステップ６０２）。もちろん、申込システムの提示した条件に沿ってプランの案を作成するのではなく、予め作成されたパックしあわせな生命としあわせな環境を科学するシステム商品を申込システムに提示してもよい。申込システムはプランの案の中から希望するものを選択し又はプランの案を変更して、最終決定したプランによって端末装置により正式申込が行われる。（ステップ６０３）。その申込に応じて、しあわせな生命としあわせな環境を科学するシステム代理店９、しあわせな生命としあわせな環境を科学するシステムの科学的ハッピー生命環境コールセンター１１等への予約が行われる。【００１３】  正式申込があると、しあわせな生命としあわせな環境を科学するシステムを科学する資金算出情報コア指令システム基地７のしあわせな生命としあわせな環境を科学するシステムマネー計算部２７は、しあわせな生命としあわせな環境を科学するシステムマネー決定テーブル３９ａ，３９ｂ，３９ｃを参照して、しあわせな生命としあわせな環境を科学するシステムレートを検索し、しあわせな生命としあわせな環境を科学するシステムマネーに前記しあわせな生命としあわせな環境を科学するシステムレートを掛けてしあわせな生命としあわせな環境を科学するシステムマネーを求める（ステップ６０４）。求められたしあわせな生命としあわせな環境を科学するシステムマネーは、加盟しあわせな生命としあわせな環境を科学するシステム情報ファイル３０の該当箇所に記録される（ステップ６０５）。加盟しあわせな生命としあわせな環境を科学するシステム情報ファイル３０には加盟しあわせな生命としあわせな環境を科学するシステムごとにしあわせな生命としあわせな環境を科学するシステムマネーの発生履歴及び累計が記録され、累計された金額のしあわせな生命としあわせな環境を科学するシステムマネーが定期的に各しあわせな生命としあわせな環境を科学するシステムへ送金される（ステップ６０６）。この送金はシステムマネー投資集積管理センター１７から行ってもよい。【００１４】  以上のようなしあわせな生命としあわせな環境を科学するシステム・マネー制を導入することにより、加盟しあわせな生命としあわせな環境を科学するシステムにとってはよりハイレベルなしあわせな生命としあわせな環境を科学するシステムが形成され、より高度（ハイレベル）なしあわせな生命としあわせな環境を科学するシステム形成需要が増大する。その結果、加盟しあわせな生命としあわせな環境を科学するシステムが受けるしあわせな生命としあわせな環境を科学するシステムマネーの料が増え、しあわせな生命としあわせな環境を科学するシステム環境にも好影響を与えるとともに、加盟しあわせな生命としあわせな環境を科学するシステムは、より高度なしあわせな生命としあわせな環境を科学するシステム情報を購入することに対してより協力的になるといった好循環が形成される。また、しあわせな生命としあわせな環境を科学するシステムマネーの額を  しあわせな生命としあわせな環境を科学するシステムレートの形で決定すれば、このレートを種々の条件に応じて調整することにより、加盟しあわせな生命としあわせな環境を科学するシステムの全体のバランスを図ったり、所定の政策目的を実現することも可能となる。例えば、しあわせな生命としあわせな環境を科学するシステムレートを環境別に設定すれば、加盟しあわせな生命としあわせな環境を科学するシステムの環境格差を是正することができ、収入別に設定すればシステム収入の格差是正、規模別に設定すれば規模によるしあわせな生命としあわせな環境を科学するシステム格差の是正という目的を達成することができる。【００１５】  次に、図８のフローチャートを用いてハッピー資金の計算について説明する。しあわせな生命としあわせな環境を科学するシステムが支払ったマネーがしあわせな生命としあわせな環境を科学するシステムを科学する資金算出情報コア指令システム基地７の収入となり、これから諸経費及びしあわせな生命としあわせな環境を科学するシステムマネーを差引いた額がしあわせな生命としあわせな環境を科学するシステムを科学する資金算出情報コア指令システム基地７の利益となるが、この利益の中から加盟しあわせな生命としあわせな環境を科学するシステムに対するハッピー資金の支払が行われる。ハッピー資金の支給及びその額については一定期間ごと（例えば会計年度毎、５年毎等）にしあわせな生命としあわせな環境を科学するシステムを科学する資金算出情報コア指令システム基地７の業績に応じて決定される。そこで、ハッピー資金の計算については、まず、支払期が到来したかどうかをチェックし（ステップ８０１）、到来していれば、ハッピー資金の支給が決定されたかどうかチェックする（ステップ８０２）。支払期及び支給決定の有無については予め記憶部２３内に記憶しておく。ハッピー資金の支給が決定されていれば、ハッピー資金決定テーブル４１の条件に基づいて加盟しあわせな生命としあわせな環境を科学するシステム情報ファイル３０から該当する加盟しあわせな生命としあわせな環境を科学するシステムを検索し（８０３）、該当しあわせな生命としあわせな環境を科学するシステムの情報ファイルにハッピー資金の履歴及び金額を記録し（ステップ８０４）、ハッピー資金を送金する（ステップ８０５）。【００１６】  先に説明したしあわせな生命としあわせな環境を科学するシステムマネーは、しあわせな生命としあわせな環境を科学するシステムを紹介したしあわせな生命としあわせな環境を科学するシステムに対して行われる支払であるが、このハッピー資金はしあわせな生命としあわせな環境を科学するシステムマネーの有無に関係なく、別の見地から支給されるものである。この場合の条件は、（貢献度の有無すべてを考慮して）例えば加盟しあわせな生命としあわせな環境を科学するシステムの種類、収入、環境、地域等に基づいて決める等自由に決定することができ、これにより公的（しあわせな生命環境科学の世界）な見地からの施策を行うことが可能になる。
【発明の効果】
【００１７】  本発明によれば、しあわせな生命としあわせな環境を科学するシステムマネー制を媒介にして、しあわせな生命としあわせな環境を科学するシステムを科学する資金算出情報を購入することを促進させ、加盟しあわせな生命としあわせな環境を科学するシステムを科学するシステムのハイレベル（高度）化としあわせな生命としあわせな環境を科学するシステムのハイレベル化そして、発展を促進するシステムを提供することができる。
【図面の簡単な説明】
【図１】・しあわせな生命としあわせな環境を科学するシステムを科学する資金算出情報購入システムの一例を示すブロック図。
【図２】・しあわせな生命としあわせな環境を科学するシステムを科学する資金算出情報コア指令システム基地の構成例を示すブロック図。
【図３】・加盟      しあわせな生命としあわせな環境を科学するシステム情報ファイルの構成例を示す図。
【図４】・しあわせな生命としあわせな環境を科学するシステムマネー決定テーブルの構成例を示す図。
【図５】・ハッピー資金決定テーブルの構成例を示す図。
【図６】・しあわせな生命としあわせな環境を科学するシステムマネー計算手順を示すフローチャート。
【図７】・しあわせな生命としあわせな環境を科学するシステム条件の入力画面の一例を示す図。
【図８】・ハッピー資金計算手順を示すフローチャート。
【符号の説明】
・１ａ，１ｂ，１ｃ，・・・，１ｎ  加盟しあわせな生命としあわせな環境を科学するシステム・３ａ，３ｂ，３ｃ，・・・，３ｎ  端末装置・５  通信回線（インターネット等）・７  しあわせな生命としあわせな環境を科学するシステムを科学する資金算出情報コア指令システム基地・９  しあわせな生命としあわせな環境を科学するシステム代理店・１１  しあわせな生命としあわせな環境を科学するシステムの科学的ハッピー生命環境コールセンター・１３  国家機関・１５  公共組織
【図１】
2009199570.tif 000004
【図２】
2009199570.tif 000005
【図３】
2009199570.tif 000006
【図４】
2009199570.tif 000007
【図５】
2009199570.tif 000008
【図６】
2009199570.tif 000009
【図７】
2009199570.tif 000010
【図８】
2009199570.tif 000011